(57)【要約】      （修正有）【課題】ダンパー交換式ヘッドフォンを提供する。【解決手段】ダンパー交換式ヘッドフォン２００は、ハウジング１０、スピーカー単体１２、ダンパー１８を備え、スピーカー単体１２はハウジング１０の前端１０１に設置し、ハウジング１０と共に共振キャビティ１４を形成し、ハウジング１０の後端１０２には、共振キャビティ１４と通じる調音孔１６を開設し、ハウジング１０の後端１０２と係合して連接する固定本体２２を備え、ハウジング１０の後端１０２は共振キャビティ１４に向かい陥没し、リアチェンバー２０を形成し、調音孔１６はリアチェンバー２０の底部に位置し、リアチェンバー２０内にはさらにダンパー１８を収容設置し、固定本体２２はリアチェンバー２０に挿入してダンパー１８と接触し、ハウジング１０の後端１０２にリアチェンバー２０を形成し、しかもダンパー１８をリアチェンバー２０に収容設置することで、ダンパー１８が交換可能となる。【選択図】図２
0003160428.tif 000002
【実用新案登録請求の範囲】
【請求項１】
ハウジング、スピーカー単体、ダンパーを備え、
前記スピーカー単体は、前記ハウジングの前端内に設置し、前記ハウジングと共に共振キャビティを形成し、
前記ハウジングの後端には、前記共振キャビティと通じる調音孔を開設し、前記ハウジングの後端と係合して連接する固定本体を備え、
前記ハウジングの後端は、前記共振キャビティに向かい陥没し、リアチェンバーを形成し、前記調音孔は、前記リアチェンバーの底部に位置し、
前記リアチェンバー内にはさらに、ダンパーを収容設置し、しかも前記固定本体は前記リアチェンバーに挿入して、ダンパーと接触することを特徴とするダンパー交換式ヘッドフォン。
【請求項２】
前記固定本体は、基部を備え、接触部は、前記基部が突出して前記リアチェンバーに挿入され形成し、前記接触部はダンパーと接触し、
前記接触部と前記基部との間には、前記リアチェンバーのチェンバー壁と相互に係合して連接する係合槽を形成することを特徴とする請求項１に記載のダンパー交換式ヘッドフォン。
【請求項３】
前記固定本体を貫通して貫通孔を開設し、
前記貫通孔と前記調音孔とは、対応して通じ、
しかも前記ダンパーは、前記貫通孔と前記調音孔との間に位置することを特徴とする請求項１或いは２に記載のダンパー交換式ヘッドフォン。
【考案の詳細な説明】
【技術分野】
【０００１】
本考案はヘッドフォンに関し、特にダンパー交換式ヘッドフォンに関する。
【背景技術】
【０００２】
テクノロジーの急速な発展に従い、MP3、携帯電話などの音楽再生機能を備える電子製品のモデルチェンジも非常に速い速度で進んでいる。
外界の干渉を受けず、また傍の人に迷惑を掛けない状況において、消費者が電子製品が発する音声を聞けるよう、ヘッドフォンは電子製品にとって必須のアクセサリーとなっている。
生活水準の向上により、消費者の聴覚に対するニーズもそれに対応して高まっている。
しかし、人の耳朶、耳穴の構造及びサイズにはそれぞれ差異があり、しかも音声に対する好みもしばしば異なっている。
大手メーカーが生産するヘッドフォンは、固定構造であることが多く、発する音声効果に対して調整を行うことができないため、人々の個別の要求を満たすことができていない。
【０００３】
図１に示す現在市場で見られるヘッドフォン１００は、ハウジング１０’、スピーカー単体１２’を備える。
スピーカー単体１２’は、ハウジング１０’に設置し、ハウジング１０’との間に、共振キャビティ１４’を形成する。
ハウジング１０’上には、共振キャビティ１４’と通じる調音孔１６’を開設する。
スピーカー単体１２’が発する低周波音を調整し、高音と低音との間の周波数差を改変し、違った感じの音楽を発生させるため、一般的には、共振キャビティ１４’内にダンパー１８’を設置し、或いは設置しないことで、共振キャビティ１４’内の圧力を制御する(図示のダンパー１８’は、共振キャビティ１４’内に設置する)。
こうして、ヘッドフォン単体のダンピング効果を改変し、高音と低音との間の周波数差を変化させ、異なる音声効果を発生させる。
【０００４】
しかし、ダンパー１８’を共振キャビティ１４’内に設置するため、消費者は自分の好みでダンパー１８’を交換して、より多くのタイプの音楽効果を楽しむことができない。
すなわち、消費者がこのようなヘッドフォンを買ったなら、そのヘッドフォンが提供する音楽効果だけしか楽しむことができないということである。
よって、これらヘッドフォンでは消費者の個々の要求を満たすことができない。
本考案は、従来のダンパー交換式ヘッドフォンの上記した欠点に鑑みてなされたものである。
【考案の概要】
【考案が解決しようとする課題】
【０００５】
本考案が解決しようとする課題は、ダンパーをヘッドフォン内に設置し、或いは設置せず、さらにはダンパーを自在に交換することができ、これにより簡単に調音を行うことができ、多様な音楽効果を楽しむことができ、消費者個々の要求を満たすことができるダンパー交換式ヘッドフォンを提供することである。
【課題を解決するための手段】
【０００６】
上記課題を解決するため、本考案は下記のダンパー交換式ヘッドフォンを提供する。
ダンパー交換式ヘッドフォンは、ハウジング、スピーカー単体、ダンパーを備え、
該スピーカー単体は、該ハウジングの前端内に設置し、該ハウジングと共に共振キャビティを形成し、
該ハウジングの後端には、該共振キャビティと通じる調音孔を開設し、該ハウジングの後端と係合して連接する固定本体を備え、
該ハウジングの後端は、該共振キャビティに向かい陥没し、リアチェンバーを形成し、該調音孔は、該リアチェンバーの底部に位置し、
該リアチェンバー内にはさらに、ダンパーを収容設置し、しかも該固定本体は該リアチェンバーに挿入して、ダンパーと接触する。
【考案の効果】
【０００７】
本考案ダンパー交換式ヘッドフォンは、ハウジングの後端にリアチェンバーを形成し、しかもダンパーをリアチェンバー内に収容設置するため、固定本体を取り外すだけで、ダンパーを交換でき、消費者は自由自在にダンパーを交換することができ、或いはダンパーをリアチェンバー内に設置するか、しないかを自由自在に選択でき、こうして簡単に調音効果を達成し、多くのタイプの音楽効果を楽しむことができ、個々の消費者の要求に応えることができる。
【図面の簡単な説明】
【０００８】
【図１】従来の技術によるヘッドフォン構造を示す表示図である。
【図２】本考案ダンパー交換式ヘッドフォン構造を示す表示図である。
【図３】図２に示す固定本体とハウジング分離の構造を示す表示図である。
【考案を実施するための形態】
【０００９】
以下に図面を参照しながら本考案を実施するための最良の形態について詳細に説明する。
【００１０】
図２、３に示すように、本考案ダンパー交換式ヘッドフォン２００は、ハウジング１０、スピーカー単体１２、ダンパー１８、固定本体２２を備える。
【００１１】
スピーカー単体１２は、ハウジング１０の前端１０１内に設置し、ハウジング１０と共に共振キャビティ１４を形成する。
ハウジング１０の後端１０２は、共振キャビティ１４に向かい陥没し、リアチェンバー２０を形成する。
ハウジング１０の後端１０２には、共振キャビティ１４と通じる調音孔１６を開設し、しかも調音孔１６は、リアチェンバー２０の底部に位置する。
固定本体２２とハウジング１０の後端１０２とは係合して連接する。
リアチェンバー２０内にはさらに、ダンパー１８を収容設置し、しかも固定本体２２はリアチェンバー２０に挿入して、ダンパー１８と接触する。
【００１２】
図２、３に示すように、固定本体２２は、具体的には、基部２２１、接触部２２２、係合槽２２３、貫通孔２２４を備える。
接触部２２２は、基部２２１が突出してリアチェンバー２０に挿入され形成する。
しかも、接触部２２２とダンパー１８とは接触し、これによりダンパー１８を固定する。
接触部２２２と基部２２１との間には、リアチェンバー２０のチェンバー壁と相互に係合して連接する係合槽２２３を形成する。
貫通孔２２４は、固定本体２２を貫通して開設し、しかもダンパー１８は、貫通孔２２４と調音孔１６との間に位置する。
固定本体２２は、選択的にハウジング１０上に付着し、しかも固定本体２２とハウジング１０との間には、他の連接方式も可能である。
【００１３】
本考案ダンパー交換式ヘッドフォン２００のスピーカー単体１２が振動して音声を発する時、共振キャビティ１４内の圧力は変化する。
これと同時に、貫通孔２２４と調音孔１６との間に位置するダンパー１８も一緒に振動する。
これにより、リアチェンバー２０内の圧力も変化し、外界の気流は、貫通孔２２４と調音孔１６とを通過して、リアチェンバー２０及び共振キャビティ１４内に進入する。
こうして、リアチェンバー２０及び共振キャビティ１４内の空気圧力を調節し、これにより調音効果を達成する。
【００１４】
上記したように、本考案ダンパー交換式ヘッドフォン２００のハウジング１０の後端１０２には、リアチェンバー２０を形成し、しかもダンパー１８をリアチェンバー２０内に収容設置する。
よって、本考案ダンパー交換式ヘッドフォン２００では、固定本体２２を取り外すだけで、ダンパー１８を交換することができるため、消費者は自由自在にダンパー１８を交換することができ、或いはダンパー１８をリアチェンバー２０内に設置するか、しないかを自由自在に選択できる。
こうして、簡単に調音効果を達成し、多くのタイプの音楽効果を楽しむことができ、個々の消費者の要求に応えることができる。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１００  ヘッドフォン
１０’  ハウジング
１２’  スピーカー単体
１４’  共振キャビティ
１６’  調音孔
１８’  ダンパー
２００  ダンパー交換式ヘッドフォン
１０  ハウジング
１０１  前端
１０２  後端
１２  スピーカー単体
１４  共振キャビティ
１６  調音孔
１８  ダンパー
２０  リアチェンバー
２２  固定本体
２２１  基部
２２２  接触部
２２３  係合槽
２２４  貫通孔
【図１】
0003160428.tif 000003
【図２】
0003160428.tif 000004
【図３】
0003160428.tif 000005